(57)【要約】【課題】窓映りの防止機能を有する車両用指示計器を提供する。【解決手段】背面から照明光の照射を受ける表示板１４を有する車両用指示計器１０。表示板１４には該表示板の背面からの照明光が表示板１４を透過して車両の窓１２へ向かうことを防止するためのシート状のルーバ手段１４ｂが組み込まれている。【選択図】  図１
2004279104.tif 000002
【特許請求の範囲】
【請求項１】
背面から照明光の照射を受ける表示板を有する車両用指示計器であって、前記表示板には該表示板の背面からの照明光が前記表示板を透過して車両の窓へ向かうことを防止するためのシート状のルーバ手段が組み込まれていることを特徴とする車両用指示計器。
【請求項２】
前記表示板は、前記照明光を均等に分散させるための光拡散層と、該拡散層を経た照明光を受ける意匠層とを備え、シート状の前記ルーバ手段が前記光拡散層と前記意匠層との間で、その間に挟み込まれて形成されている請求項１記載の車両用指示計器。
【請求項３】
前記光拡散層は光拡散板からなり、前記意匠層は透明な基板上の印刷層からなり、前記ルーバ手段は前記光拡散板と前記透明基板との間で両者にそれぞれ接着されるルーバシートからなる請求項２記載の車両用指示計器。
【請求項４】
前記ルーバシートには、その内部で互いに平行に横方向に伸びる遮蔽面が形成されていることを特徴とする請求項３記載の車両用指示計器。
【請求項５】
前記ルーバシートには、その内部でハニカム形状に配置された遮蔽面が形成されていることを特徴とする請求項３記載の車両用指示計器。
【発明の詳細な説明】
【０００１】
【発明の属する技術分野】
本発明は、車両のインストルメントパネルに設けられる車両用指示計器に関し、特に、該車両用指示計器の文字板の窓映りを防止する機能を有する車両用指示計器に関する。
【０００２】
【従来の技術】
自動車のインストルメントパネルには、スピードメータや油量計などの計器類が集中的に配置されている（例えば、特許文献１参照。）。
【０００３】
このような計器類に、文字板の背面から照射光を照射する光源を有するものがある。この種の計器類を組み込んだインストルメントパネルでは、計器類からの照射光による各計器の文字板の窓映り、すなわち、計器の窓映りを防止するために、計器類を取り囲むように運転者に向けて大きく張り出す大型のフード部を設けることが必要不可欠となる（例えば、特許文献２参照。）。
【０００４】
【特許文献１】
特開平１１−２４０３５７号公報
【特許文献２】
特開２００２−１２０６０号公報
【０００５】
【発明が解決しようとする課題】
ところで、このような大型のフード部は、インストルメントのデザインの自由度を損なうことから、デザインの自由度の向上の点で、小型化を図ることが望ましく、そのため、フード部に依存することなく窓映りを防止し得る車両用指示計器が望まれていた。
【０００６】
従って、本発明は、窓映りの防止機能を有する車両用指示計器を提供することを目的とする。
【０００７】
【課題を解決するための手段】
上記の目的を達成するために、請求項１に係る発明は、背面から照明光の照射を受ける表示板を有する車両用指示計器であって、前記表示板には該表示板の背面からの照明光が前記表示板を透過して車両の窓へ向かうことを防止するためのシート状のルーバ手段が組み込まれていることを特徴とする。
【０００８】
シート状のルーバ手段は、表示板の背面からの照明光が表示板を透過して運転者に向かうことを許すことにより、運転者による計器表示板の明瞭な視認を可能とする。しかしながら、このシート状のルーバ手段は、表示板を透過する光のうちの車両の窓に向かう光を遮断することにより、この透過光の窓への照射に起因する窓映りが防止される。そのため、運転者による指示計器の明瞭な視認を妨げることなくしかもインストルメントパネルのフード部に依存することなく、車両用指示計器の窓映りが防止される。
【０００９】
請求項２に係る発明は、請求項１に記載の車両用指示計器において、表示板が照明光を均等に分散させるための光拡散層と、該拡散層を経た照明光を受ける意匠層とを備え、シート状の前記ルーバ手段が光拡散層と意匠層との間で、その間に挟み込まれむように形成されていることを特徴とする。
【００１０】
意匠層には、例えば透光部分により、文字、目盛およびマーク等の意匠表示が付されており、光拡散層と意匠層との間にシート状ルーバ手段を配置することにより、運転者はルーバ手段を通して意匠層を視認することなく、意匠層に付されたこれら意匠表示を直接視認することができるので、ルーバ手段の影響を受けることなく明瞭に指示計器の文字、目盛およびマーク等を視認することができる。
【００１１】
請求項３に係る発明は、請求項２に記載の発明において、光拡散層が光拡散板からなり、意匠層が透明な基板上の印刷層からなり、ルーバ手段が前記光拡散板と前記透明基板との間で両者にそれぞれ接着されるルーバシートからなることを特徴とする。
【００１２】
例えばシルク印刷技術を用いてルーバシートの表面に光拡散層を直接的に形成することができる。しかしながら、ルーバシートは高価であり、光拡散層のための印刷不良によるルーバシートの損失を防止することが望ましい。そこで、光拡散層をルーバシートとは別体の光拡散板で形成し、この光拡散板と意匠層が施された透明基板との間にルーバシートを挟み込むように、これらを相互に接着することにより、ルーバシート上への光拡散層の印刷ミスによる製造ロスを防止することができ、これにより、この製造ロスによる損失を防止できる。
【００１３】
請求項４に係る発明は、請求項３に記載の発明において、ルーバシートには、その内部で互いに平行に横方向に伸びる遮蔽面が形成されていることを特徴とする。ルーバシートに設けられた横方向に伸びる遮蔽面は、指示計器が設けられるインストルメントパネルの上方に位置する車両フロントウインドへ向けての透過光を規制する。このフロントウインドへの透過光の規制により、指示計器のフロントウインドへの窓映りが効果的に防止され、これによりフロントウインドを通した前方視界の窓映りによる妨げが防止できる。
【００１４】
請求項５に係る発明は、ルーバシートには、その内部でハニカム形状に配置された遮蔽面が形成されていることを特徴とする。ハニカム形状の遮蔽面が形成されたルーバシートは、フロントウインドへの指示計器の窓映りを防止すると共に、車両の両側に向かう透過光を規制することにより、車両両側に設けられるフロントドアウインドへの窓映りをも防止する。
【００１５】
【発明の実施の形態】
以下、本発明を図示の実施の形態に沿って詳細に説明する。
【００１６】
〈実施の形態１〉
図１は本発明の要部を示すが、この図１に沿っての説明に先立って、本発明に係る車両用指示計器１０の概略を図２ないし図４に沿って説明する。
【００１７】
図２には、本発明に係る車両用指示計器１０が組み込まれたインストルメントパネルの一例が全体に符号１１で示されている。車両用指示計器１０は、２つの指示計器（１０ａ、１０ｂ）が連続的に配置されたいわゆる２連コンビネーションメータの例であり、図示の例では、車速計１０ａおよび燃料計１０ｂ等がメータユニット１０として一体的にインストルメントパネル１１のフード部１１ａに組み込まれている。インストルメントパネル１１の前縁からは、車両のフロントウインドガラス１２がその上縁を運転席側に傾斜して立ち上がる。
【００１８】
本発明に係る車両用指示計器、すなわちメータユニット１０は、図３に示すように、従来よく知られた合成樹脂材料からなるロアーハウジング部１３ａおよびアッパハウジング部１３ｂからなる計器ハウジング１３と、該計器ハウジングに配置される計器表示板１４と、各指示計器部分（１０ａ、１０ｂ）毎に計器表示板１４の表示面側を覆う筒状部が一体的に形成されたリッド１５と、該リッドーの各筒状部の前端に装着されるフロントカバー１６を介してリッド１５に取付られる透明なカバー１７とを備える。
【００１９】
図３および車両用指示計器１０の断面を示す図４では図面の簡素化のために省略されているが、ハウジング１３には、指示計器１０（１０ａ、１０ｂ）のための従来よく知られた回路基板が保持されている。前記回路基板には、各指示計器１０ａ、１０ｂのための計器ムーブメント、計器表示板１４をその背面から照射するための光源あるいは各指示計器１０ａ、１０ｂに組み込まれる各警告灯のための光源等が配置される。
【００２０】
図４には、計器ムーブメントとして車速計１０ａのためのムーブメントが符号１８で示されており、また、計器表示板１４をその背面から照射するための複数の光源１９が示されている。光源１９からの光は、計器表示板１４の背面側に配置された従来よく知られた導光板２０を経て、計器表示板１４の背面を照射する。この光照射により、計器表示板１４の透光部によって該表示板上に表示された従来よく知られた文字、目盛あるいはマーク等の意匠が明示される。
【００２１】
また、図４に示す計器表示板１４には、例えばトリップメータのための液晶表示装置２１を配置する開口部２２が形成されている。さらに、車速計１０ａのムーブメント１８の駆動軸１８ａには、計器表示板１４の表示面側で速度を指し示すための指針２３ａが固定されている。
【００２２】
再び図３を参照するに、計器表示板１４の燃料計１０ｂにも、車速計１０ａにおけると同様に、図示しない各ムーブメントの駆動軸に指針２３ｂが固定される。さらに、図３に示す例では、車速計１０ａに組み込まれた前記トリップメータ２１のリセット操作ノブ２４が車速計１０ａに関連して組み込まれている。また、燃料計１０ｂには水温計が組み込まれており、この水温計のための指針２３ｃが燃料計１０ｂのための前記指針２３ｂと共に、燃料計１０ｂに組み込まれている。
【００２３】
各指針２３（２３ａ〜２３ｃ）は、それぞれの前記ムーブメントの動作に応じて各指示計器１０ａ、１０ｂ毎に適正な値を指し示すように、該ムーブメントの駆動軸の回転に応じて動作する。
【００２４】
導光板２０を経て光源１９からの照射光を受ける計器表示板１４は、図１に示すように、文字、目盛あるいはマーク等の意匠を施すための意匠層２５が両面に施された例えばポリカーボネートシートから成る透明基板１４ａと、該透明基板の背面側に配置されるシート状のルーバ手段からなるルーバシート１４ｂとを備える。図示の例では、計器表示板１４は、さらに導光板２０から放射される光を拡散させるための光拡散層１４ｃと、透明基板１４ａの表示面を保護しかつこれを装飾するためのフィニッシャ層１４ｄとを備え、これら含む積層構造を有する。
【００２５】
意匠層２５は、透明基板１４ａ上への従来よく知られたシルク印刷技術を用いた多色刷りにより形成することができる。この多色刷りでは、例えば、透明基板１４ａの両面のほぼ全域にわたって白色インクのような光透過性インクから成る光透過膜層が形成され、必要に応じて、この光透過膜層上に前記意匠に対応する着色膜層が形成され、該着色膜層の前記意匠に対応した透光部を除く領域を覆うように遮光膜層が形成され、これにより前記透光部によって計器表示板１４の文字、目盛あるいはマーク等の意匠が形成される。この意匠層すなわち印刷層２５は、透明基板１４ａの両面に形成することに代えて、そのいずれか一方の面に形成することができる。
【００２６】
光拡散層１４ｃは、例えば透明板に網点印刷を施して形成された光拡散板１４ｃで形成することができる。この光拡散板１４ｃは、該光拡散板と、印刷層２５により目盛等の意匠が施された透明基板１４ａとで、それらの間にルーバシート１４ｂを挟み込むように配置され、それぞれが接着剤を介して一体的に接合されている。
【００２７】
両者１４ｃ、１４ａ間に配置されたルーバシート１４ｂは、図５に示すように、透光性を有する例えば０．５〜１．０ｍｍの厚さ寸法を有するシート状の樹脂材料本体２６からなる。樹脂材料本体２６の内部には、互いに間隔をおいて平行に配置された複数の遮蔽面２６ａが形成されている。各遮蔽面２６ａは、横方向へ配置されている。この遮蔽面２６ａは、スリットにより形成することができる。このようなルーバシート１４ｂとして、例えばノートブック型コンピュータの液晶表示画面が他人から覗き込まれるのを防止するために、視野角を狭めるべくその液晶表示画面に装着されるプライバシーフィルタとして用いられている光学フィルタ部材を採用することができる。
【００２８】
図５に示したルーバシート１４ｂは、その遮蔽面２６ａが横方向に互いに平行に配置されている。従って、ルーバシート１４ｂは、該ルーバシートを透過すべくこれに入射する光のうち、遮蔽面２６ａに向けて入射する光の透過を阻止するが、遮蔽面２６ａ間で入射光の透過を許す。ルーバシート１４ｂは、図４に示したように、液晶表示装置２１の表示面２１ａに接して配置されており、この液晶表示装置２１の表示の明瞭な視認を妨げることはない。
【００２９】
本発明に係る車両用指示計器１０では、計器ハウジング１３に配置された光源１９からの光が導光板２０を経て計器表示板１４をその背面から照射すると、この導光板２０からの照射光は光拡散板１４ｃにより分散される。この分散光は、ルーバシート１４ｂを通して、印刷層２５が施された透明基板１４ａをその背面から全域にわたってほぼ均等に照射することから、計器表示板１４上の前記透光部分によって形成された文字、目盛あるいはマーク等の意匠は、この透光部分を透過する照明光によって明示される。
【００３０】
この光拡散板１４ｃと透明基板１４ａとの間に配置されたルーバシート１４ｂは、前記したように、光拡散板１４ｃからの照射光のうち遮蔽面２６ａ間を透過する横方向の光の透過を許すが遮蔽面２６ａに向けて上下方向へ角度的に入射する散乱光を遮断する。
【００３１】
その結果、運転者は、ルーバシート１４ｂの遮蔽面２６ａ間を透過する照明光により、計器表示板１４の文字、目盛あるいはマーク等の意匠を明瞭に視認することができる。また、ルーバシート１４ｂの遮蔽面２６ａは、上下方向に角度的に入射する散乱光を遮断することにより、この散乱光がインストルメントパネル１１の上方のフロントウインドガラス１２に向かうことを阻止される。
【００３２】
従って、計器表示板１４の明瞭な視認性を妨げることなく、計器表示板１４のフロントウインドガラス１２への窓映りを防止することができるので、リッド１５あるいはこのリッド１５を覆うインストルメントパネル１１のフード部１１ａに計器表示板１４の窓映り防止機能を担わせる必要はない。そのため、これらリッド１５およびフード部１１ａには、計器表示板１４への外光の差し込みを防止するバイザー機能を担わせるのみで良く、窓映り機能を除去できる分、リッド１５およびフード部１１ａの長さ寸法の縮小化が可能となる。
【００３３】
ルーバシート１４ｂの背面に網点印刷を施すことにより、光拡散板１４ｃを用いることなく、ルーバシート１４ｂ上に直接的に光拡散層１４ｃを形成することができる。しかしながら、この網点印刷の印刷不良による高価なルーバシート１４ｂの廃棄を防止する上で、前記したとおり、光拡散板１４ｃをルーバシート１４ｂに接着することにより、光拡散層１４ｃを形成することが望ましい。
【００３４】
また、ルーバシート１４ｂを光拡散層１４ｃおよび透明基板１４ａ間に配置することに代えて、印刷層２５が施された透明基板１４ａの表示面側に配置することが考えられる。しかしながら、ルーバシート１４ｂが計器表示板１４の表示面側に配置されると、運転者は計器表示板１４の前記意匠をルーバシート１４ｂを通して見ることになる。この場合、運転者の計器表示板１４を見る目視角度によっては明瞭な計器表示板１４の目視を妨げられる虞が生じる。
【００３５】
これに対し、図示したように、ルーバシート１４ｂを印刷層２５が施された透明基板１４ａの背面側に配置することにより、運転者はルーバシート１４ｂを通して計器表示板１４を見ることはなく、目視角度の大小に拘わらず確実かつ明瞭に計器表示板１４を視認することができる。
【００３６】
〈実施の形態２〉
図６に示すように、ルーバシート１４ｂの遮蔽面２６ｂをハニカム形状に配置することができる。このハニカム構造の遮蔽面２６ｂは、互いに対向する一組の辺２６ｂ１、２６ｂ１がほぼ水平方向となるように配置することが望ましい。遮蔽面２６ｂのうち、この水平方向の辺２６ｂ１で上下方向に散乱する透過光がフロントウインドガラス１２に向かうことを阻止され、また遮蔽面２６ｂのうち辺２６ｂ１を除く他の辺で左右方向に散乱する透過光が車両のフロントドアに設けられるサイドウインドへ向かうことを阻止される。これによりフロントウインドガラス１２への計器表示板１４の窓映りを防止できることに加えて、前記サイドウインドへの計器表示板１４の窓映りをも防止することができる。
【００３７】
前記したところでは、プライバシーフィルタとして用いられるルーバシート１４ｂでシート状のルーバ手段を構成した例について説明したが、その他の種々のシート状ルーバ手段を採用することができる。
【００３８】
【発明の効果】
請求項１に記載の発明によれば、シート状のルーバ手段が車両用表示板を透過する光のうち車両の窓に向かう光を遮断することにより、この透過光の窓への照射に起因する指示計器の窓映りが防止され、これにより運転者による指示計器の明瞭な視認を妨げることなくしかもインストルメントパネルのフード部に依存することなく、車両用指示計器の窓映りが防止されるので、インストルメントパネルの大型のフード部を不要とすることができ、これによりインストルメントパネルおよび該インストルメントパネルに関連する内装品のデザイン自由度が高められる。
【００３９】
請求項２に係る発明によれば、シート状のルーバ手段を光拡散層と意匠層との間で、その間に挟み込まれむように形成することにより、運転者はルーバ手段を通して意匠層を視認することなく、意匠層に付されたこれら意匠表示を直接視認することができるので、ルーバ手段の影響を受けることなく明瞭に指示計器の文字、目盛およびマーク等を視認することができる。
【００４０】
請求項３に係る発明によれば、光拡散層をルーバシートとは別体の光拡散板で形成し、この光拡散板と意匠層が施された透明基板との間にルーバシートを挟み込むように、これらを相互に接着することにより、ルーバシート上への光拡散層の印刷ミスによる製造ロスを防止することができ、これにより、この製造ロスによる損失が防止できる。
【００４１】
請求項４に係る発明によれば、ルーバシートの内部で互いに平行に横方向に伸びる遮蔽面がフロントウインドへの指示計器の窓映りを効果的に防止することから、運転者のフロントウインドを通した前方視界の窓映りによる妨げが防止でき、これにより車両の前方視界を良好に維持することができる。
【００４２】
請求項５に係る発明によれば、フロントウインドへの指示計器の窓映りを防止することにより車両の前方視界を良好に維持できることに加えて、車両のフロントドアウインドへの窓映りを防止し、このサイドウインドからの側方視界をも良好に維持することができる。
【図面の簡単な説明】
【図１】本発明に係る指示計器の要部を拡大して示す断面図である。
【図２】本発明に係る指示計器が設けられる車両のインストルメントパネルの一例を概略的に示す斜視図である。
【図３】図２に示した指示計器を分解して概略的に示す斜視図である。
【図４】図２に示した線ＩＶ−ＩＶに沿って得られた縦断面図である。
【図５】図１に示した指示計器のルーバシートの一例を示す平面図である。
【図６】図１に示した指示計器のルーバシートの他の例を示す平面図である。
【符号の説明】
１０（１０ａ〜１０ｃ）  車両用指示計器
１２  （窓）フロントウインドガラス
１４  計器表示板
１４ａ  透明基板
１４ｂ  （シート状ルーバ手段）ルーバシート
１４ｃ  （光拡散層）光拡散板
１９  光源
２５  （意匠層）印刷層
２６ａ、２６ｂ、２６ｂ１  遮蔽面
【図１】
2004279104.tif 000003
【図２】
2004279104.tif 000004
【図３】
2004279104.tif 000005
【図４】
2004279104.tif 000006
【図５】
2004279104.tif 000007
【図６】
2004279104.tif 000008